(57)【要約】【課題】使用料等の管理を適切に行うことができる情報記録媒体発行システムを提供する。【解決手段】端末装置２１により、ユーザーの操作情報に基づいて、情報記録媒体に記録する複数の記録情報を要求する記録情報要求を生成し、データサーバー３２に出力するステップを実行し、データサーバー３２により、端末装置からの記録情報要求に基づいて、情報記録媒体に記録する複数の記録情報を選択して、配信サーバー３４により、端末装置２１に出力するステップを実行し、端末装置２１により、配信サーバー３４からの複数の記録情報を情報記録媒体に記録して発行するステップを実行し、端末装置２１により、複数の記録情報の対価情報を含む情報記録媒体の発行履歴情報を管理サーバー３６に出力するステップを実行し、管理サーバー３６により、端末装置２１からの発行履歴情報に含まれる対価情報を複数の記録情報毎に集計するステップを実行する。【選択図】図１
2007139820.tif 000002
【特許請求の範囲】
【請求項１】
複数の端末装置がネットワークによりサーバーに接続されたシステムにより情報記録媒体を発行する情報記録媒体発行方法であって、
前記端末装置により、ユーザーの操作情報に基づいて、情報記録媒体に記録する複数の記録情報を要求する記録情報要求を生成し、前記サーバーに出力するステップが実行され、
前記サーバーにより、前記端末装置からの記録情報要求に基づいて、情報記録媒体に記録する複数の記録情報を選択して、前記端末装置に出力するステップが実行され、
前記端末装置により、前記サーバーからの複数の記録情報を情報記録媒体に記録して発行するステップが実行され、
前記端末装置により、前記複数の記録情報の対価情報を含む前記情報記録媒体の発行履歴情報を前記サーバーに出力するステップが実行され、
前記サーバーにより、前記端末装置からの発行履歴情報に含まれる対価情報を前記複数の記録情報毎に集計するステップが実行され、
前記情報記録媒体の対価は、前記情報記録媒体に記録可能な複数の記録情報の対価情報に基づいて予め定められた所定の対価である
ことを特徴とする情報記録媒体発行方法。
【請求項２】
請求項１記載の情報記録媒体発行方法において、
前記端末装置により、前記サーバーからの複数の記録情報を記録した情報記録媒体を発行するステップの後に、前記端末装置内にある前記複数の記録情報を削除するステップが更に実行される
ことを特徴とする情報記録媒体発行方法。
【請求項３】
請求項１又は２記載の情報記録媒体発行方法において、
前記情報記録媒体に記録される複数の記録情報の少なくともひとつには、前記対価情報として、その記録情報所有者に支払う使用料が予め定められており、
前記サーバーにより前記端末装置からの発行履歴情報を前記複数の記録情報毎に集計するステップでは、記録情報所有者毎の使用料を集計する
ことを特徴とする情報記録媒体発行方法。
【請求項４】
請求項１又は２記載の情報記録媒体発行方法において、
前記情報記録媒体に記録される複数の記録情報の少なくともひとつには、前記対価情報として、その記録情報掲載者に請求する広告料が予め定められており、
前記サーバーにより前記端末装置からの発行履歴情報を前記複数の記録情報毎に集計するステップでは、記録情報所有者毎の広告料を集計する
ことを特徴とする情報記録媒体発行方法。
【請求項５】
ネットワークによりサーバーに接続された端末装置であって、
ユーザーの操作情報に基づいて、情報記録媒体に記録する複数の記録情報を要求する記録情報要求を生成し、前記サーバーに出力する手段と、
前記端末装置からの記録情報要求に基づいて前記サーバーにより選択された複数の記録情報を情報記録媒体に記録して発行する手段と、
前記複数の記録情報の対価情報を含む前記情報記録媒体の発行履歴情報を前記サーバーに出力する手段とを有し、
前記情報記録媒体の対価は、前記情報記録媒体に記録可能な複数の記録情報の対価情報に基づいて予め定められた所定の対価である
ことを特徴とする端末装置。
【請求項６】
請求項５記載の端末装置において、
前記サーバーからの複数の記録情報を記録した情報記録媒体を発行した後に、前記端末装置内にある前記複数の記録情報を削除する手段を更に有する
ことを特徴とする端末装置。
【請求項７】
請求項５又は６記載の端末装置において、
前記情報記録媒体に記録される複数の記録情報の少なくともひとつには、前記対価情報として、その記録情報所有者に支払う使用料が予め定められている
ことを特徴とする端末装置。
【請求項８】
請求項５又は６記載の端末装置において、
前記情報記録媒体に記録される複数の記録情報の少なくともひとつには、前記対価情報として、その記録情報掲載者に請求する広告料が予め定められている
ことを特徴とする端末装置。
【請求項９】
ネットワークにより端末装置に接続されたサーバーであって、
前記端末装置からの記録情報要求に基づいて、情報記録媒体に記録する複数の記録情報を選択して、前記端末装置に出力する手段と、
前記端末装置からの、前記複数の記録情報の対価情報を含む情報記録媒体の発行履歴情報に含まれる対価情報を前記複数の記録情報毎に集計する手段とを有し、
前記情報記録媒体の対価は、前記情報記録媒体に記録可能な複数の記録情報の対価情報に基づいて予め定められた所定の対価である
ことを特徴とするサーバー。
【請求項１０】
請求項９記載のサーバーにおいて、
前記情報記録媒体に記録される複数の記録情報の少なくともひとつには、前記対価情報として、その記録情報所有者に支払う使用料が予め定められており、
前記端末装置からの発行履歴情報を前記複数の記録情報毎に集計する手段は、記録情報所有者毎の使用料を集計する
ことを特徴とするサーバー。
【請求項１１】
請求項９記載のサーバーにおいて、
前記情報記録媒体に記録される複数の記録情報の少なくともひとつには、前記対価情報として、その記録情報掲載者に請求する広告料が予め定められており、
前記端末装置からの発行履歴情報を前記複数の記録情報毎に集計する手段は、記録情報所有者毎の広告料を集計する
ことを特徴とするサーバー。
【請求項１２】
複数の端末装置がネットワークによりサーバーに接続され、情報記録媒体を発行する情報記録媒体発行システムであって、
前記端末装置は、
ユーザーの操作情報に基づいて、情報記録媒体に記録する複数の記録情報を要求する記録情報要求を生成し、前記サーバーに出力する手段と、
前記サーバーからの複数の記録情報を情報記録媒体に記録して発行する手段と、
前記複数の記録情報の対価情報を含む前記情報記録媒体の発行履歴情報を前記サーバーに出力する手段を有し、
前記サーバーは、
前記端末装置からの記録情報要求に基づいて、情報記録媒体に記録する複数の記録情報を選択して、前記端末装置に出力する手段と、
前記端末装置からの発行履歴情報に含まれる対価情報を前記複数の記録情報毎に集計する手段を有し、
前記情報記録媒体の対価は、前記情報記録媒体に記録可能な複数の記録情報の対価情報に基づいて予め定められた所定の対価である
ことを特徴とする情報記録媒体発行システム。
【発明の詳細な説明】
【技術分野】
【０００１】
本発明は情報記録媒体発行システムに関し、特に複数の端末装置がネットワークにより接続されて情報記録媒体を発行する情報記録媒体発行システムに関する。
【背景技術】
【０００２】
利用者が好みの楽曲を選択し、その楽曲の伴奏音に合わせて歌唱して楽しむカラオケ装置が広く知られている。利用者は、カラオケ装置により好みの楽曲の歌唱を楽しむことができるものの、その場限りの楽しみである。
【０００３】
好みの楽曲の歌唱をマスターし、より上手に歌うことができるように、利用者が自宅等で練習したいと考えても、その楽曲のＣＤを持っているとは限らず、古い楽曲では、そのＣＤやレコードを購入すること自体が困難である。このようなカラオケ愛好家の要望に応えるために、従来から、曲名、歌手名、歌詞、ジャケット写真、選曲番号等を表示した歌詞カードが知られている（特許文献１参照）。
【特許文献１】特開平１１−３２７５７０号公報
【発明の開示】
【発明が解決しようとする課題】
【０００４】
しかしながら、従来の歌詞カードは、レコード会社側で用意したものであるので、よく歌われる曲や新曲等に限られており、あらゆる利用者の要求を満たすものからはほど遠い。
【０００５】
しかも、仮に利用者の要求する楽曲の歌詞カードが発行できたとしても、歌詞カードに含まれる歌詞やジャケット写真には著作権等の使用料が発生するものがあり、そのような使用料の管理を適切に行えない限り、このようなサービスを提供することは困難である。
【０００６】
本発明の目的は、使用料等の管理を適切に行うことができる情報記録媒体発行システムを提供することにある。
【課題を解決するための手段】
【０００７】
本発明の一態様としての情報記録媒体発行方法は、複数の端末装置がネットワークによりサーバーに接続されたシステムにより情報記録媒体を発行する情報記録媒体発行方法であって、前記端末装置により、ユーザーの操作情報に基づいて、情報記録媒体に記録する複数の記録情報を要求する記録情報要求を生成し、前記サーバーに出力するステップが実行され、前記サーバーにより、前記端末装置からの記録情報要求に基づいて、情報記録媒体に記録する複数の記録情報を選択して、前記端末装置に出力するステップが実行され、前記端末装置により、前記サーバーからの複数の記録情報を情報記録媒体に記録して発行するステップが実行され、前記端末装置により、前記複数の記録情報の対価情報を含む前記情報記録媒体の発行履歴情報を前記サーバーに出力するステップが実行され、前記サーバーにより、前記端末装置からの発行履歴情報に含まれる対価情報を前記複数の記録情報毎に集計するステップが実行され、前記情報記録媒体の対価は、前記情報記録媒体に記録可能な複数の記録情報の対価情報に基づいて予め定められた所定の対価であることを特徴とする。
【０００８】
上述した情報記録媒体発行方法において、前記端末装置により、前記サーバーからの複数の記録情報を記録した情報記録媒体を発行するステップの後に、前記端末装置内にある前記複数の記録情報を削除するステップが更に実行されるようにしてもよい。
【０００９】
上述した情報記録媒体発行方法において、前記情報記録媒体に記録される複数の記録情報の少なくともひとつには、前記対価情報として、その記録情報所有者に支払う使用料が予め定められており、前記サーバーにより前記端末装置からの発行履歴情報を前記複数の記録情報毎に集計するステップでは、記録情報所有者毎の使用料を集計するようにしてもよい。
【００１０】
上述した情報記録媒体発行方法において、前記情報記録媒体に記録される複数の記録情報の少なくともひとつには、前記対価情報として、その記録情報掲載者に請求する広告料が予め定められており、前記サーバーにより前記端末装置からの発行履歴情報を前記複数の記録情報毎に集計するステップでは、記録情報所有者毎の広告料を集計するようにしてもよい。
【００１１】
本発明の一態様としての端末装置は、ネットワークによりサーバーに接続された端末装置であって、ユーザーの操作情報に基づいて、情報記録媒体に記録する複数の記録情報を要求する記録情報要求を生成し、前記サーバーに出力する手段と、前記端末装置からの記録情報要求に基づいて前記サーバーにより選択された複数の記録情報を情報記録媒体に記録して発行する手段と、前記複数の記録情報の対価情報を含む前記情報記録媒体の発行履歴情報を前記サーバーに出力する手段とを有し、前記情報記録媒体の対価は、前記情報記録媒体に記録可能な複数の記録情報の対価情報に基づいて予め定められた所定の対価であることを特徴とする。
【００１２】
上述した端末装置において、前記サーバーからの複数の記録情報を記録した情報記録媒体を発行した後に、前記端末装置内にある前記複数の記録情報を削除する手段を更に有するようにしてもよい。
【００１３】
上述した端末装置において、前記情報記録媒体に記録される複数の記録情報の少なくともひとつには、前記対価情報として、その記録情報所有者に支払う使用料が予め定められているようにしてもよい。
【００１４】
上述した端末装置において、前記情報記録媒体に記録される複数の記録情報の少なくともひとつには、前記対価情報として、その記録情報掲載者に請求する広告料が予め定められているようにしてもよい。
【００１５】
本発明の一態様としてのサーバーは、ネットワークにより端末装置に接続されたサーバーであって、前記端末装置からの記録情報要求に基づいて、情報記録媒体に記録する複数の記録情報を選択して、前記端末装置に出力する手段と、前記端末装置からの、前記複数の記録情報の対価情報を含む情報記録媒体の発行履歴情報に含まれる対価情報を前記複数の記録情報毎に集計する手段とを有し、前記情報記録媒体の対価は、前記情報記録媒体に記録可能な複数の記録情報の対価情報に基づいて予め定められた所定の対価であることを特徴とする。
【００１６】
上述したサーバーにおいて、前記情報記録媒体に記録される複数の記録情報の少なくともひとつには、前記対価情報として、その記録情報所有者に支払う使用料が予め定められており、前記端末装置からの発行履歴情報を前記複数の記録情報毎に集計する手段は、記録情報所有者毎の使用料を集計するようにしてもよい。
【００１７】
上述したサーバーにおいて、前記情報記録媒体に記録される複数の記録情報の少なくともひとつには、前記対価情報として、その記録情報掲載者に請求する広告料が予め定められており、前記端末装置からの発行履歴情報を前記複数の記録情報毎に集計する手段は、記録情報所有者毎の広告料を集計するようにしてもよい。
【００１８】
本発明の一態様としての情報記録媒体発行システムは、複数の端末装置がネットワークによりサーバーに接続され、情報記録媒体を発行する情報記録媒体発行システムであって、前記端末装置は、ユーザーの操作情報に基づいて、情報記録媒体に記録する複数の記録情報を要求する記録情報要求を生成し、前記サーバーに出力する手段と、前記サーバーからの複数の記録情報を情報記録媒体に記録して発行する手段と、前記複数の記録情報の対価情報を含む前記情報記録媒体の発行履歴情報を前記サーバーに出力する手段を有し、前記サーバーは、前記端末装置からの記録情報要求に基づいて、情報記録媒体に記録する複数の記録情報を選択して、前記端末装置に出力する手段と、前記端末装置からの発行履歴情報に含まれる対価情報を前記複数の記録情報毎に集計する手段を有し、前記情報記録媒体の対価は、前記情報記録媒体に記録可能な複数の記録情報の対価情報に基づいて予め定められた所定の対価であることを特徴とする。
【００１９】
本発明の一態様としての情報記録媒体発行方法は、複数の端末装置がネットワークによりサーバーに接続されたシステムにより情報記録媒体を発行する情報記録媒体発行方法であって、前記端末装置により実行され、ユーザーの操作情報に基づいて、情報記録媒体に記録する複数の記録情報を要求する記録情報要求を生成し、前記サーバーに出力するステップと、前記端末装置により実行され、前記端末装置からの記録情報要求に基づいて前記サーバーにより選択された複数の記録情報を情報記録媒体に記録して発行するステップと、前記端末装置により実行され、前記複数の記録情報の対価情報を含む前記情報記録媒体の発行履歴情報を前記サーバーに出力するステップを有し、前記情報記録媒体の対価は、前記情報記録媒体に記録可能な複数の記録情報の対価情報に基づいて予め定められた所定の対価であることを特徴とする。
【００２０】
本発明の一態様としての情報記録媒体発行方法は、複数の端末装置がネットワークによりサーバーに接続されたシステムにより情報記録媒体を発行する情報記録媒体発行方法であって、前記サーバーにより実行され、前記端末装置からの記録情報要求に基づいて、情報記録媒体に記録する複数の記録情報を選択して、前記端末装置に出力するステップと、前記サーバーにより実行され、前記端末装置からの、前記複数の記録情報の対価情報を含む情報記録媒体の発行履歴情報に含まれる対価情報を前記複数の記録情報毎に集計するステップを有し、前記情報記録媒体の対価は、前記情報記録媒体に記録可能な複数の記録情報の対価情報に基づいて予め定められた所定の対価であることを特徴とする。
【発明の効果】
【００２１】
以上の通り、本発明によれば、端末装置により、ユーザーの操作情報に基づいて、情報記録媒体に記録する複数の記録情報を要求する記録情報要求を生成し、サーバーに出力するステップを実行し、サーバーにより、端末装置からの記録情報要求に基づいて、情報記録媒体に記録する複数の記録情報を選択して、端末装置に出力するステップを実行し、端末装置により、サーバーからの複数の記録情報を情報記録媒体に記録して発行するステップを実行し、端末装置により、複数の記録情報の対価情報を含む情報記録媒体の発行履歴情報をサーバーに出力するステップを実行し、サーバーにより、端末装置からの発行履歴情報に含まれる対価情報を複数の記録情報毎に集計するステップを実行するようにしたので、使用料等の管理を適切に行うことができる。
【発明を実施するための最良の形態】
【００２２】
［一実施形態］
本発明の一実施形態による歌詞カード発行システムについて図面を用いて説明する。図１は本実施形態による歌詞カード発行システムの構成の概要を示す図である。図２及び図３は同歌詞カード発行システムにより発行される歌詞カードの具体例を示す図である。図４及び図５は同歌詞カード発行システムにおいて歌詞カードを発行する動作のフローチャートである。図６は同歌詞カード発行システムにおける動作の概要を説明するための説明図である。図７は同歌詞カード発行システムにおける各種データの構成を示す図である。図８は同歌詞カード発行システムにおいて各種報告を作成する動作のフローチャートである。図９及び図１０は同歌詞カード発行システムにおける各種報告の構成を示す図である。
【００２３】
（歌詞カード発行システムの構成）
歌詞カード発行システムの構成の概要について図１を用いて説明する。
【００２４】
カラオケ店１０は例えば日本全国の各地に所在している。カラオケ店１０には、通信カラオケを行うためのカラオケシステム１２が複数台設けられている。複数台のカラオケシステム１２はＬＡＮ１４を介してインターネット３０に接続されている。
【００２５】
カラオケ店１０には、カラオケシステム１２の他に、歌詞カードを印刷するための歌詞カードプリントシステム２０が設けられている。歌詞カードプリントシステム２０には、システム全体を制御するための端末ＰＣ２１と、ユーザーが操作するための操作パネル２２と、歌詞カードを印刷するためのプリンタ２３と、歌詞カードを発行するコインを投入するコインボックス２４と、携帯電話やデジタルカメラ、パーソナルコンピュータ（ＰＣ)等からオリジナル画像を取り込むための携帯インターフェース２５とが設けられている。歌詞カードプリントシステム２０の端末ＰＣ２１は、ＬＡＮ１４を介してインターネット３０に接続されている。
【００２６】
歌詞カード発行システムのサーバーとして、歌詞カード発行のために必要なデータを蓄積しているデータサーバー３２と、印刷データを歌詞カードプリントシステム２０に配信するための配信サーバー３４と、カード発行ログから各種報告を作成するための管理サーバー３６とが設けられている。これらデータサーバー３２と配信サーバー３４と管理サーバー３６は、それぞれインターネット３０に接続されている。
【００２７】
データサーバー３２には、歌詞カード発行のために必要なデータとして、各種ロゴのデータ、曲番号のデータ、曲名のデータ、写真データ、スポンサーデータ、歌詞データ、店舗広告データ、ＱＲコードのデータ等が格納されている。
【００２８】
例えば、図６に示すように、データサーバー３２は、曲番号データベース３２ａと、曲名データベース３２ｂと、写真データベース３２ｃと、スポンサーデータベース３２ｄと、歌詞データベース３２ｅと、店舗広告データベース３２ｆと、ＱＲコードデータベース３２ｇとを有している。
【００２９】
（歌詞カード）
歌詞カード発行システムにより発行される歌詞カードの具体例について図２及び図３を用いて説明する。
【００３０】
歌詞カードとはユーザーが選択した曲の歌詞が印刷されたカードである。図２の歌詞カードは、表面に著作権料のように所定の使用料が発生する写真が印刷され、裏面に著作権料が発生する歌詞が印刷されたものである。図３の歌詞カードは、表面に使用料が発生しない自分の写真が印刷され、裏面に著作権料が発生する歌詞が印刷されたものである。図２の歌詞カードにも、図３の歌詞カードにも、表面に広告料が発生する広告が印刷されている。
【００３１】
図２（ａ）、図３（ａ）は歌詞カード４０の表面である。歌詞カード４０の表面の上部には曲番号を印刷する曲番号領域４１が設けられている。曲番号領域４１の右側にはユーザー（カラオケ店）のメモを印刷するメモ領域４２が設けられている。曲番号領域４１とメモ領域４２の下部には曲名を印刷する曲名領域４３が設けられている。歌詞カード４０の表面の中央部には写真を印刷する写真領域４４が設けられている。歌詞カード４０の表面の下部には広告を印刷する広告領域４５が設けられている。
【００３２】
図２（ｂ）、図３（ｂ）は歌詞カード４０の裏面である。歌詞カード４０の裏面のほぼ全体には歌詞を印刷する歌詞領域４６が設けられている。歌詞カード４０の裏面の下部右側には各種情報をＱＲコードにより印刷するＱＲコード領域４７が設けられている。歌詞カード４０の裏面の下部左側には特許出願中であることを印刷する特許表示領域４８が設けられている。
【００３３】
図２の歌詞カードでは、歌詞カード４０の表面の曲番号領域４１には曲番号である「２７５」と印刷され、曲名領域４３には「雨の御堂筋」と印刷され、写真領域４４には「雨の御堂筋」のＣＤのジャケット写真が印指されている。広告領域４５には所定の広告がＱＲコードと共に印刷されている。歌詞カード４０の裏面の歌詞領域４６には「雨の御堂筋」の歌詞である「小ぬか雨降る御堂筋・・・・・」と印刷され、ＱＲコード領域４７には所定のＱＲコードが印刷され、特許表示領域４８には「Ｐａｔｅｎｔ  Ｐｅｎｄｉｎｇ」と印刷されている。
【００３４】
図３の歌詞カードでは、写真領域４４以外は、図２の歌詞カードと同様な内容が印刷されているが、写真領域４４には、ジャケット写真の代わりに著作権料等の使用料が発生しない自分の写真が印刷されている。
【００３５】
本実施形態では、歌詞カードに、著作権料支払いが発生する歌詞やジャケット写真等を実際に使用するか否かに拘わらず、また、広告料の収入が発生する広告を掲載するか否かに拘わらず、歌詞カードに使用することが可能な記録情報の対価に基づいて、歌詞カードの対価が予め定められている。本実施形態では１枚の歌詞カードは１００円で販売される。著作権料の高い情報を記録しようが、広告料の高い広告を掲載しようが、歌詞カードは常に定額、例えば、１００円で販売される。
【００３６】
図２の歌詞カードでは、写真領域４４でのジャケット写真の使用と、歌詞領域４６での歌詞の使用により、著作権料が発生する。図３の歌詞カードでは歌詞領域４６での歌詞の使用により著作権料が発生するが、写真領域４４は自分の写真であるので著作権料は発生しない。図２の歌詞カードでも、図３の歌詞カードでも、広告領域４５の広告により広告料が発生する。
【００３７】
例えば、歌詞カードの発行料金が１００円とすると、図２の歌詞カードを発行すると、歌詞の使用による著作権料（ａ円）が発生し、ジャケット写真の使用による使用料（ｂ円）が発生し、広告掲載により広告料（ｃ円）が発生する。したがって、図２の歌詞カードを発行することにより、歌詞カード発行側であるカード発行会社とカラオケ店側の収入は、１００円−ａ円−ｂ円＋ｃ円となる。
【００３８】
図３の歌詞カードを発行すると、歌詞の使用による著作権料（ａ円）が発生し、広告掲載により広告料（ｃ円）が発生する。したがって、図３の歌詞カードを発行することにより、歌詞カード発行側であるカード発行会社とカラオケ店側の収入は、１００円−ａ円＋ｃ円となる。
【００３９】
歌詞カードに使用される、著作権料支払いが発生する歌詞やジャケット写真等の情報に対する対価情報、広告料の収入が発生する広告に対する対価情報は、データサーバー３２の各データベース３２ａ〜３２ｇに、その情報と関連づけられて記録されている。
【００４０】
例えば、歌詞の使用による著作権料（ａ円）は、歌詞データベース３２ｅに、歌詞データに関連づけられて記録されている。また、ジャケット写真の使用による使用料（ｂ円）は、写真データベース３２ｃに、ジャケット写真に関連づけられて記録されている。また、広告掲載による広告料（ｃ円）は、スポンサーデータベース３２ｄや店舗広告データベース３２ｆに、広告データに関連づけられて記録されている。これらデータを使用する際に、その対価情報も読み出して利用する。
【００４１】
（歌詞カード発行動作）
歌詞カード発行システムによる歌詞カード発行動作について図４乃至図７を用いて説明する。
【００４２】
まず、図４のフローチャートに示すように、ユーザーが歌詞カードプリントシステム２０の操作パネル２２に所定の操作を行うと、端末ＰＣ２１は操作パネル２２に曲選択画面を表示する（ステップＡ０１）。この曲選択画面は、カラオケシステム１２における曲選択画面と同様の画面でよい。
【００４３】
次に、端末ＰＣ２１は、操作パネル２２へのユーザーの曲選定入力を検出する（ステップＡ０２）。続いて、端末ＰＣ２１は、ＬＡＮ１４を介してデータサーバー３２にアクセスし、ユーザーにより選定された曲の曲番号をデータサーバー３２に送信する（ステップＡ０３）。
【００４４】
次に、データサーバー３２は、端末ＰＣ２１から送信された曲番号を受信する（ステップＢ０１）。続いて、データサーバー３２は、受信した曲番号の歌詞データが歌詞データベース３２ｅ内に用意されているか否かを検索すると共に、受信した曲番号のジャケット写真が写真データベース３２ｃ内に用意されている否かを検索する（ステップＢ０２）。
【００４５】
次に、データサーバー３２は、ＬＡＮ１４を介して端末ＰＣ２１にアクセスし、検索の結果、その曲番号の歌詞データがあれば、歌詞データと共に、歌詞データの有無を示す有無信号を端末ＰＣ２１に送信し、その曲番号のジャケット写真があれば、ジャケット写真のデータと共に、ジャケット写真の有無を示す有無信号を端末ＰＣ２１に送信する（ステップＢ０３）。
【００４６】
次に、端末ＰＣ２１は、データサーバー３２から送信された選定した曲番号の歌詞及びジャケット写真のデータと有無信号を受信する（ステップＡ０４）。
【００４７】
次に、端末ＰＣ２１は、受信した歌詞データの有無信号に基づいて歌詞データが用意されているかを判断する（ステップＡ０５）。
【００４８】
歌詞データが用意されていない場合には、歌詞カードを作成することができないので、その旨を操作パネル２２に表示して、最初のステップＡ０１に戻る。
【００４９】
歌詞カードが用意されている場合には、端末ＰＣ２１は、受信したジャケット写真の有無信号に基づいてジャケット写真が用意されているかを判断する（ステップＡ０６）。
【００５０】
ジャケット写真が用意されている場合には、端末ＰＣ２１は、操作パネル２２に、ジャケット写真と著作権料支払いの必要がないフリーの写真とを並べて表示する（ステップＡ０７）。
【００５１】
ジャケット写真が用意されていない場合には、端末ＰＣ２１は、操作パネル２２に、著作権料支払いの必要がないフリーの写真だけを表示する（ステップＡ０８）。
【００５２】
次に、端末ＰＣ２１は、操作パネル２２へのユーザーの写真選択入力を検出する（ステップＡ０９）。ユーザーの写真選択入力に基づいて、ジャケット写真使用（ステップＡ１０）か、著作権のないフリー写真使用（ステップＡ１１）か、自分の写真使用（ステップＡ１２）か、写真使用しない（ステップＡ１３）か、いずれかが選択される。
【００５３】
自分の写真使用を選択した場合（ステップＡ１２）には、例えば、携帯インターフェース２５を用いて携帯電話で撮影した写真を端末ＰＣ２１に取り込み（ステップＡ１４）、取り込んだ写真を表示し（ステップＡ１５）、使用する写真を決定する。
【００５４】
端末ＰＣ２１は、使用する写真が確定されると、操作パネル２２に確定画像を表示して（ステップＡ１６）ユーザーに知らせる。
【００５５】
次に、図５のフローチャートに示すように、端末ＰＣ２１が、操作パネル２２に確定画像を表示した（ステップＡ１６）後、操作パネル２２にカード発行を確認するためのカード発行確認画面を表示する（ステップＡ１７）。
【００５６】
次に、端末ＰＣ２１は、操作パネル２２へのユーザーのカード発行確認入力を検出し（ステップＡ１８）、カード発行がＯＫか否か判断する（ステップＡ１９）。
【００５７】
所定時間経過しても、ユーザーによるカード発行確認入力が検出できない場合には、カード発行がＯＫでないと判断して、最初のステップＡ０１に戻る。
【００５８】
ユーザーによるカード発行確認入力が検出されると、カード発行がＯＫであると判断して、操作パネル２２にコイン投入を促すコイン投入画面を表示する（ステップＡ２０）。歌詞カードを発行する場合には、歌詞カードの発行料金である、例えば、１００円のコイン投入を促すコイン投入画面を表示する。
【００５９】
次に、端末ＰＣ２１は、コインボックス２２にコインが投入されたか否かを検出し（ステップＡ２１）、歌詞カードの発行料金である１００円が投入されたか否か判断する（ステップ２２）。
【００６０】
所定時間が経過しても１００円の投入が確認できない場合には、ユーザーにカード発行の意志がないものと判断し、最初のステップＡ０１に戻る。
【００６１】
ユーザーによるコイン投入が確認されると、端末ＰＣ２１は、ＬＡＮ１４を介してデータサーバー３２にアクセスし、確定画像のデータ（ジャケット写真のデータ、著作権無し写真のデータ、又は、取り込んだ写真のデータ）と共に、印刷データ要求をデータサーバー３２に送信する（ステップＡ２３）。
【００６２】
印刷データ要求は、図７（ａ）に示すように、現在時刻を示す現在日時と、歌詞カードプリントシステム２０を特定する端末ＩＤと、歌詞データを印刷する楽曲番号と、使用する写真を指定する写真指定情報とから構成されている。
【００６３】
次に、データサーバー３２は、端末ＰＣ２１から送信された確定画像のデータと印刷データ要求とを受信する（ステップＢ１１）。
【００６４】
次に、データサーバー３２は、端末ＰＣ２１からの確定画像のデータと印刷データ要求とに基づいて、データサーバー３２（曲番号データベース３２ａ、曲名データベース３２ｂ、写真データベース３２ｃ、スポンサーデータベース３２ｄ、歌詞データベース３２ｅ、店舗広告データベース３２ｆ、ＱＲコードデータベース３２ｇ）から、必要なデータを読み出して、歌詞カードの印刷に必要な印刷データを構成する（ステップＢ１２）。なお、このとき、必要なデータと共に、その対価情報も読み出しておき、カード発行ログの作成に利用する。
【００６５】
印刷データは、図７（ｂ）に示すように、楽曲番号と、楽曲名と、写真データと、広告データ（広告写真データと広告ＱＲコード）と、歌詞データと、ＱＲコードとから構成されている。
【００６６】
印刷データのうち、楽曲番号と楽曲名と歌詞データは、印刷データ要求の楽曲番号に基づいて作成され、写真データは、印刷データ要求の写真指定情報と確定画像データに基づいて作成される。
【００６７】
印刷データにおける広告データは、基本的には順番に又はランダムに選ばれる。しかしながら、印刷データ要求の楽曲番号と関連づけるように広告データを選ぶようにしてもよい。
【００６８】
歌詞カード作成のために歌詞が用意された楽曲は、例えば、カラオケでの楽曲と同様に曲ジャンルが定められている。曲ジャンルとして、例えば、演歌、歌謡曲、軍歌、ポップス、海外、子供、グループサウンズ、フォーク等がある。例えば、曲ジャンルが子供の歌詞カードに、お菓子の広告を載せることは望ましいが、お酒の広告を印刷することは望ましくない。そこで、広告データにジャンルを付与することとし、楽曲のジャンルと広告のジャンルとの間に一定の関連を持たせるようにする。広告ジャンルとしては、例えば、清涼飲料水、スナック菓子、携帯電話会社、衣料会社（ブランド）、家庭医薬品等がある。そして、曲ジャンルと広告ジャンルの間に関連性を持たせ、広告データとしては、選択された楽曲の曲ジャンルに相応しい広告ジャンルの広告から順番に又はランダムに選ばれた広告データが選択される。
【００６９】
印刷データにおけるＱＲコードは、歌詞カードに付加的な情報を与えるものであり、基本的には選択された楽曲に基づいて作成される。このＱＲコードを携帯電話等で読み取ることにより、所定の情報を入手したり、所定のページにアクセスしたりすることができる。
【００７０】
ＱＲコードの具体例としては、例えば、選択した楽曲に関する基本情報（楽曲番号、楽曲名、歌手名、レコード会社、レコード発売日等）自体、又は、その情報が掲載されているＵＲＬ（ウェブサイトのアドレス）や、選択した楽曲に関連するうんちく情報自体、又は、その情報が掲載されているＵＲＬや、選択した楽曲の歌手紹介情報自体、又は、その情報が掲載されているＵＲＬや、選択した楽曲に相応しいスポンサー情報自体、又は、その情報が掲載されているＵＲＬ、選択した楽曲とは関連性のない情報（例えば、歴史上の出来事、ニュース、名所旧跡情報等）自体、又は、その情報が掲載されているＵＲＬ等である。
【００７１】
また、その他のＱＲコードの具体例としては、アフィリエイト式の広告媒体としての利用がある。アフィリエイトとは、Ｗｅｂサイトやメールマガジンに企業サイトへのリンクを張り、ユーザーがそこを経由して商品を購入したりすると、サイトやメールマガジンの管理者に報酬が支払われるというシステムである。本実施形態では、ＱＲコード中に企業サイトへのリンクを含ませる。ＱＲコードに含ませること自体は無料で行う。この広告を通じて買い物等がされたら、成功報酬として売上の所定比率（例えば数％）を受取る。
【００７２】
データサーバー３２は、ＬＡＮ１４を介して配信サーバー３４にアクセスし、構成した印刷データを配信サーバー３４に送信する（ステップＢ１３）。
【００７３】
配信サーバー３４は、データサーバー３２から送信された印刷データを受信し（ステップＣ０１）、ＬＡＮ１４を介して印刷データ要求を出力した端末ＰＣ２１にアクセスし、その端末ＰＣ２１に印刷データを配信する（ステップＣ０２）。
【００７４】
歌詞データプリントシステム２０の端末ＰＣ２１は、配信サーバー３４から配信された印刷データを受信し（ステップＡ２４）、その印刷データに基づいてプリンタ２３により歌詞カードを印刷する（ステップＡ２５）。
【００７５】
端末ＰＣ２１は、歌詞カードの印刷が完了すると、一時的に保存していた確定画像のデータと、印刷のためにバッファリングしていた印刷データとを直ちに削除する（ステップＡ２６）。確定画像のデータや印刷データ中には著作権を有するデータ（歌詞データ、写真データ）が含まれているので、それらデータが端末側で不正に使用されるのを防ぐために、印刷して必要なくなり次第直ちに削除する。
【００７６】
次に、端末ＰＣ２１は、歌詞カードを発行した履歴データとしてカード発行ログを生成し、ＬＡＮ１４を介して管理サーバー３６にアクセスし、生成したカード発行ログを管理サーバー３６に送信する（ステップＡ２７）。管理サーバー３６は、端末ＰＣ２１からのカード発行ログを受信する（ステップＤ０１）。
【００７７】
カード発行ログは、図７（ｃ）に示すように、歌詞カードの発行日時と、歌詞カードの発行端末のＩＤと、楽曲番号と、使用した写真種別及び番号と、広告データの番号と、使用した歌詞の番号と、ＱＲコードの番号とから構成されている。
【００７８】
カード発行ログは、例えば、「日時分,端末ＩＤ,楽曲番号,写真種別・番号,広告データ,歌詞番号,ＱＲコード番号」のように、各項目の情報がカンマ（,）により区切られた１行のテキストデータである。カード発行ログから、この歌詞カードを発行したことによる歌詞の著作権料（ａ円）、ジャケット写真の使用料（ｂ円）、広告料（ｃ円）を把握することができる。
【００７９】
カード発行ログの出力により、１枚の歌詞カードの発行動作が完了し、最初のステップに戻り、次の歌詞カードの発行に備える。
【００８０】
（歌詞カード発行報告動作）
歌詞カード発行システムによる歌詞カード発行の報告動作について図８乃至図１０を用いて説明する。
【００８１】
上述したように、歌詞カードプリントシステム２０が歌詞カードを１枚発行すると端末ＰＣ２１からカード発行ログが出力されて管理サーバー３６に送られる。管理サーバー３６は、全国に設置された歌詞カードプリントシステム２０から送られてくる膨大なカード発行ログを蓄積する。
【００８２】
図８に示すように、管理サーバー３６は、歌詞カード発行についての報告発行時期となったか否かを常に判断している（ステップＤ１１）。
【００８３】
予め定められた報告発行時期となると、管理サーバー３６は、予め定められた報告発行期間を指定して、カード発行ログを集計する（ステップＤ１２）。例えば、例えば、月に１回、予め決められた日、例えば、２０日に集計する場合には、毎月２０日の所定時刻、例えば、深夜の午前５時に、前月の２１日から今月の２０日までの期間を指定して、カード発行ログを集計する。
【００８４】
カード発行ログを集計して、スポンサー報告を作成し（ステップＤ１３）、ＪＡＳＲＡＣ報告を作成し（ステップＤ１４）、レーベル会社報告を作成し（ステップＤ１５）、店舗請求報告を作成する（ステップＤ１６）。
【００８５】
スポンサー報告は、カード発行ログに基づいて各スポンサーに請求する広告料（ｃ円）を集計する。スポンサー報告としては、例えば、図９（ａ）に示すように、報告月と、スポンサー毎に、スポンサー名と広告単価とカード発行枚数が示される。
【００８６】
ＪＡＳＲＡＣ報告は、カード発行ログに基づいて各楽曲の著作権料（ａ円）を集計する。ＪＡＳＲＡＣとは、Japanese Society for the Rights of Authors，Composers and Publishers（日本音楽著作権協会，ジャスラック）の略称である。ＪＡＳＲＡＣ報告としては、例えば、図９（ｂ）に示すように、報告月と、楽曲毎に、楽曲番号とカード発行枚数が示される。
【００８７】
レーベル会社報告は、カード発行ログに基づいて各レーベル会社に属するジャケット写真の使用料（ｂ円）を集計する。レーベル会社とは、ジャケット写真を管理し、その使用料を徴収している。レーベル会社報告としては、例えば、図１０（ａ）に示すように、報告月と、レーベル会社毎に、レーベル会社名とレーベル番号とカード発行枚数が示される。
【００８８】
店舗請求は、カード発行ログに基づいて各店舗に請求する広告料（ｃ円）を集計する。広告領域には、一般のスポンサーの広告の他に、その店舗の広告を掲載することも可能である。店舗請求としては、図１０（ｂ）に示すように、報告月と、店舗毎に、店舗名と端末ＩＤとカード発行枚数とが示される。
【００８９】
このように、本実施形態によれば、端末装置２１により、ユーザーの操作情報に基づいて、歌詞カードに記録する歌詞やジャケット写真を要求する記録情報要求を生成し、データサーバー３２に出力するステップを実行し、データサーバー３２により、端末装置からの記録情報要求に基づいて、歌詞カードに記録する歌詞やジャケット写真を選択して、配信サーバー３４により、端末装置２１に出力するステップを実行し、端末装置２１により、配信サーバー３４からの歌詞やジャケット写真を歌詞カードに記録して発行するステップを実行し、端末装置２１により、歌詞やジャケット写真の対価情報を含む歌詞カードの発行履歴情報を管理サーバー３６に出力するステップを実行し、管理サーバー３６により、端末装置２１からの発行履歴情報に含まれる対価情報を歌詞やジャケット写真毎に集計するステップを実行するようにしたので、歌詞カードに含まれる歌詞やジャケット写真について発生する著作権等の使用料を適切に管理することができる。
【００９０】
［変形実施形態］
本発明は上記実施形態に限らず種々の変形が可能である。
【００９１】
例えば、上記実施形態では、歌詞カードプリントシステムをカラオケ店に設置したが、他の場所、例えば、ゲームセンタ、コンビニエンスストア、スーパー等に設置してもよい。
【００９２】
また、上記実施形態の歌詞カードの表面、裏面における各領域の配置構成は一例であって、他の構成であってもよい。
【００９３】
また、上記実施形態では、歌詞が印刷されたカードを発行したが、歌詞以外のもの、例えば、上記実施形態における「歌詞」と「ジャケット写真」のように相互に関連性があり、かつ、「歌詞」に対する「ジャケット写真」のように「ユーザー写真」に差し替えても情報自体の価値には支障がなく、それぞれに別の料金が課金される情報が印刷されたカードであってもよい。
【００９４】
具体的には、例えば「ゲームのタイトル画面やキャラクタの画像」と「ゲームの必殺技コマンド表やプレイヤーのゲーム結果（得点、勝利数、ゲーム結果に基づいてゲーム側から発行される称号等）」の組合せをカード等に出力するものでもよい。「ゲーム画面」の部分を、例えば、プレイヤーがハイスコアを出した時の画像やプレイヤーの写真に差し替えることが可能である。
【００９５】
また、上記実施形態では、紙のカードを発行したが、紙以外の材質のカード、例えば、プラスチック、布等のカードであってもよい。また、カードでなく、シールとして出力するようにしてもよい。
【００９６】
また、上記実施形態では、印刷により情報が記録できる紙等の印刷メディアを発行したが、印刷とは異なる方法により情報が記録できるもの、例えば、磁気カード、ＩＣカード、メモリのような情報記憶媒体、フィギュアのような形態模型媒体、楽曲ダウンロードのようなデータ転送、携帯電話やＰＣへのデータ転送等を含む、広義の情報記録媒体であってもよい。
【００９７】
楽曲ダウンロード等のデータ転送では、メモリ等の記録媒体自体はユーザーが所有しており、その記録媒体に楽曲データ等が記録されるが、本願明細書では、このような場合も広義の情報記録媒体に含まれるものと定義する。
【００９８】
要は、予め作成されたものではなく、ユーザーからの指令により、その都度作成するものであって、その作成された情報記録媒体に、著作権料等の使用料が発生する情報や、広告料が発生する情報が、適宜、使用される場合には、本発明を適用することができる。
【００９９】
予め作成されたものであれば、その作成時に使用料等の集計が可能であるのに対し、上述したような場合には、使用料等の集計を事前に行えないので、本発明は非常に有用である。
【０１００】
また、上記実施形態では、データサーバーと配信サーバーと管理サーバーが別個に設けたが、これらをひとつのサーバーとして構成してもよい。
【図面の簡単な説明】
【０１０１】
【図１】本発明の一実施形態による歌詞カード発行システムの構成の概要を示す図である。
【図２】本発明の一実施形態による歌詞カード発行システムにより発行される歌詞カードの具体例を示す図である。
【図３】本発明の一実施形態による歌詞カード発行システムにより発行される歌詞カードの具体例を示す図である。
【図４】本発明の一実施形態による歌詞カード発行システムにおいて歌詞カードを発行する動作のフローチャート（その１）である。
【図５】本発明の一実施形態による歌詞カード発行システムにおいて歌詞カードを発行する動作のフローチャート（その２）である。
【図６】本発明の一実施形態による歌詞カード発行システムにおける動作の概要を説明するための説明図である。
【図７】本発明の一実施形態による歌詞カード発行システムにおける各種データの構成を示す図である。
【図８】本発明の一実施形態による歌詞カード発行システムにおいて各種報告を作成する動作のフローチャートである。
【図９】本発明の一実施形態による歌詞カード発行システムにおける各種報告の構成を示す図である。
【図１０】本発明の一実施形態による歌詞カード発行システムにおける各種報告の構成を示す図である。
【符号の説明】
【０１０２】
１０…カラオケ店
１２…カラオケシステム
１４…ＬＡＮ
２０…歌詞カードプリントシステム
２１…端末ＰＣ
２２…操作パネル
２３…プリンタ
２４…コインボックス
２５…携帯インターフェース
３０…インターネット
３２…データサーバー
３４…配信サーバー
３６…管理サーバー
４０…歌詞カード
４１…曲番号領域
４２…メモ領域
４３…曲名領域
４４…写真領域
４５…広告領域
４６…歌詞領域
４７…ＱＲコード領域
４８…特許表示領域
【図１】
2007139820.tif 000003
【図２】
2007139820.tif 000004
【図３】
2007139820.tif 000005
【図４】
2007139820.tif 000006
【図５】
2007139820.tif 000007
【図６】
2007139820.tif 000008
【図７】
2007139820.tif 000009
【図８】
2007139820.tif 000010
【図９】
2007139820.tif 000011
【図１０】
2007139820.tif 000012